(57)【特許請求の範囲】
【請求項１】
アイマスクと、
前記アイマスク内に設けられ、三次元移動を行うことができる移動ブロックを備える移動モジュールと、
前記移動モジュールの前記移動ブロックに設けられ、少なくとも１個の化粧道具を備えるメイクアップモジュールと、
前記アイマスク内に設けられ、画像を撮影並びに眼部輪郭画像を認識できる少なくとも１個の画像認識装置と、
前記アイマスクに設けられ、且つ、前記移動モジュールと前記メイクアップモジュールと前記少なくとも１個の画像認識装置に電気的に接続し、前記メイクアップモジュールを前記眼部輪郭画像が対応するメイクアップ位置に移動するため前記眼部輪郭画像を受信すると共に前記移動モジュールを駆動でき、また、前記メイクアップモジュールの前記少なくとも１個の化粧道具が眼部輪郭画像に対応する予想メイクの出来上がりを指す化粧後輪郭パターンに基づいてメイクアップするよう駆動できるコントローラと、
を含むことを特徴とするアイメイクアップ装置。
【請求項２】
前記メイクアップモジュールには、前記少なくとも１個の化粧道具を収容するため、その周縁に少なくとも１個の収容孔を開設している回転盤を含むことを特徴とする請求項１に記載のアイメイクアップ装置。
【請求項３】
前記メイクアップモジュールの前記少なくとも１個の化粧道具はアイライナー、メイクブラシ、加圧式スプレーノズル、及び、圧電噴射装置の中から少なくとも１種類を選び、前記少なくとも１個の化粧道具内には少なくとも１個の予備化粧料を備えることを特徴とする請求項１に記載のアイメイクアップ装置。
【請求項４】
前記アイマスク内に設けられる貯蔵装置を更に含み、前記貯蔵装置は少なくとも１個の予備化粧料を備える少なくとも１個の予備化粧用具を含むことを特徴とする請求項１に記載のアイメイクアップ装置。
【請求項５】
前記メイクアップモジュールはピックアンドプレイス装置を備え、前記メイクアップモジュールが前記貯蔵装置に移動し、前記貯蔵装置の中から予備化粧用具のいずれかをピックアンドプレイスすることを特徴とする請求項４に記載のアイメイクアップ装置。
【請求項６】
前記コントローラは、更に前記化粧後輪郭パターンを編集できることを特徴とする請求項１に記載のアイメイクアップ装置。
【請求項７】
前記コントローラは、入力インターフェースを備えることを特徴とする請求項１に記載のアイメイクアップ装置。
【請求項８】
その中に前記眼部輪郭画像を保存し、外部から前記コントローラの前記入力インターフェースに電気的に接続する外部保存装置を更に含むことを特徴とする請求項７に記載のアイメイクアップ装置。
【請求項９】
その中に前記化粧後輪郭パターンを保存し、外部から前記コントローラの前記入力インターフェースに電気的に接続する外部保存装置を更に含むことを特徴とする請求項７に記載のアイメイクアップ装置。
【請求項１０】
前記アイマスク内に設けられると共に前記コントローラに電気的に接続し、その中に前記眼部輪郭画像を保存している内蔵保存装置を更に含むことを特徴とする請求項１に記載のアイメイクアップ装置。
【請求項１１】
前記アイマスク内に設けられると共に前記コントローラに電気的に接続し、その中に前記化粧後輪郭パターンを保存している内蔵保存装置を更に含むことを特徴とする請求項１に記載のアイメイクアップ装置。
【請求項１２】
マンマシンインターフェースに表示すると共に前記コントローラに電気的に接続するディスプレイを更に含むことを特徴とする請求項１に記載のアイメイクアップ装置。
【請求項１３】
前記ディスプレイは、アイマスクの前方に取り付けたタッチパネルであることを特徴とする請求項１２に記載のアイメイクアップ装置。
【請求項１４】
前記アイマスクに設けられると共に前記コントローラに電気的に接続する複数の操作インターフェースを更に含むことを特徴とする請求項１に記載のアイメイクアップ装置。
【請求項１５】
前記移動モジュールの前記移動ブロックに設けられ、前記メイクアップモジュールと前記メイクアップ位置間の距離情報を提供することで、前記コントローラが前記移動モジュール動作の駆動や制御を補助する距離測定装置を更に含むことを特徴とする請求項１に記載のアイメイクアップ装置。
【請求項１６】
安全感知モジュールを更に含み、異常があると感知した時、対応して異常信号を前記コントローラに出力することを特徴とする請求項１に記載のアイメイクアップ装置。
【請求項１７】
前記コントローラに電気的に接続する外部電子機器を更に含み、前記外部電子機器は、前記コントローラを制御することで前記移動モジュールと前記メイクアップモジュールを駆動や制御できることを特徴とする請求項１に記載のアイメイクアップ装置。
【請求項１８】
前記移動モジュールは、縦方向レールと横方向レールと伸縮レールとを更に含み、前記移動ブロックが前記伸縮レールに設けられると共に往復運動し、前記伸縮レールが前記横方向レールに摺設されると共に往復運動し、前記横方向レールが前記縦方向レールに摺設されると共に往復運動することを特徴とする請求項１に記載のアイメイクアップ装置。
【請求項１９】
前記アイマスクは、アイマスクを人体頭部に固定して目の位置に対応させる留め具を備えることを特徴とする請求項１に記載のアイメイクアップ装置。
【発明の詳細な説明】
【技術分野】
【０００１】
本発明は、アイメイクアップ装置に関し、特に、制御を受けて人体眼部に対し自動化粧を行うことができるアイメイクアップ装置に関する。
【背景技術】
【０００２】
美しくなりたいと思うことは自然なことであるため、市場において各メーカはいずれも多種多様な基礎化粧品及びメイクアップ化粧品を発表して消費者の選択購入のため供している。しかしながら、自分が気に入り且つ自分に似合う化粧或いはアイシャドウをメイクアップした場合、異なる眉の形、各種目の輪郭、アイシャドウ及びアイライン等を描くため、繰り返しメイクアップテクニックを練習する必要があり、且つ各種メイクアップ化粧品及び化粧道具を購入しなければならない。また、メイクアップテクニックの熟練度の違い及びアイメイクアップ化粧品の種類の多さに伴い、往々にしてメイクアップした目の効果と消費者が望んでいる効果とに一定の差が生まれてきた。
【０００３】
情報科技の絶え間ない進化に伴い、従来の技術でもかつて顔部メイクアップ化粧品又は基礎化粧品の化粧シミュレーションサービス装置が開発され、購買前にスクリーンにおいて利用者の化粧後の効果をシミュレーションして実際のメイクアップ化粧品の試用に替えていた。
しかしながら、この従来の化粧シミュレーションサービス装置は体積が巨大であったため携帯に不便であった。且つスクリーンでメイクアップ効果をシミュレーションしたとしても、やはり手動によるメイクアップテクニックに依存して人の顔や目に描く必要があり、自動化できていなかった。特に、細かい複雑なアイメイクについて、スクリーンでシミュレーションしたものと同じ効果を演出できていなかった。
【発明の概要】
【発明が解決しようとする課題】
【０００４】
以上から分かるように、従来の手動メイクアップ方法及び化粧シミュレーションサービス方法と装置にも多くの欠陥が存在し、アイメイク向け自動化粧装置もなかったため、改良する必要があった。
【課題を解決するための手段】
【０００５】
本発明は、アイマスクと移動モジュール（ｍｏｖｉｎｇ  ｍｏｄｕｌｅ）とメイクアップモジュールと少なくとも１個の画像認識装置とコントローラとを、含むアイメイクアップ装置を提供することにある。
移動モジュールがアイマスク内に設けられ、且つ三次元移動を行うことができる移動ブロックを備える。メイクアップモジュールが移動モジュールの移動ブロックに設けられ、メイクアップモジュールの中に少なくとも１個の化粧道具を備える。少なくとも１個の画像認識装置がアイマスク内に構設され、画像を撮影並びに認識して眼部輪郭画像を得ることができ、眼部輪郭画像は二次元平面の眼部輪郭画像とすることができ、三次元立体の眼部輪郭画像とすることもできる。画像認識装置は、電荷結合素子（ｃｈａｒｇｅ  ｃｏｕｐｌｅｄ  ｄｅｖｉｃｅ、ＣＣＤ）或いは相補型金属酸化膜半導体（ｃｏｍｐｌｅｍｅｎｔａｒｙ  ｍｅｔａｌ  ｏｘｉｄｅ  ｓｅｍｉｃｏｎｄｕｃｔｏｒ、ＣＭＯＳ）素子或いはその他の等価素子とすることもできるが、自動でメイクアップに合わせるため、カラー撮影可能なものが好ましい。
【０００６】
コントローラは、アイマスクに設けられ、且つ移動モジュールとメイクアップモジュールと少なくとも１個の画像認識装置に電気的に接続する。メイクアップモジュールを眼部輪郭画像が対応するメイクアップ位置に移動するため、コントローラは眼部輪郭画像を受信できると共に移動モジュールを駆動でき、またメイクアップモジュールの少なくとも１個の化粧道具が化粧後輪郭パターンに基づいてメイクアップするよう駆動できる。化粧後輪郭パターンとは、眼部輪郭画像に対応する予想メイクの出来上がりを指す。コントローラも少なくとも１個の画像認識装置が提供する画像信号を通じてメイクアップ位置の校正を補助できる。
【０００７】
上述の装置により、多様且つ正確に利用者が選定或いはシミュレーションしたアイメイクを実現でき、手動メイクアップ後の実際の効果とスクリーン上におけるシミュレーションのパフォーマンス効果の差が大きくなる問題を解決できる。
【０００８】
本発明のメイクアップモジュールには、移動ブロックに固設又は脱着できるように設けられた回転盤を含むことができる。少なくとも１個の化粧道具を収容するため、回転盤の周縁に少なくとも１個の収容孔を開設できる。少なくとも１個の化粧道具はアイライナー、メイクブラシ、加圧式スプレーノズル及び圧電噴射装置の中から少なくとも１種類を選ぶことができる。少なくとも１個の化粧道具内には少なくとも１個の化粧料を備える。アイライナーは鉛筆型、回転式ペンシル、毛筆型、平筆型等の各種アイラインを描く工具にできる。メイクブラシは、アイシャドウ或いは眉化粧等の化粧ニーズに応じたブラシとすることができ、例えば各種サイズのアイシャドウブラシ、眉ブラシ等である。
加圧式スプレーノズル及び圧電噴射装置は、スプレーノズルの噴射方式を利用して単色或いは赤色（Ｒ）、緑色（Ｇ）及び青色（Ｂ）三原色で調合した各種カラーを噴出でき、カラーグラデーションを作り出して化粧料のカラーバリエーションを増やすこともできる。少なくとも１個の化粧料は、粉末状、泡状、ジェル状、リキッド状或いは三相系の化粧料のいずれかの１種又はその組み合わせとすることができ、例えば眉用化粧料、リッキドアイライナー、ジェルアイライナー、ケーキ型アイシャドウ、軟膏型アイシャドウ等である。
【０００９】
本発明は、アイマスク内に設けられる貯蔵装置を更に含む。貯蔵装置は少なくとも１個の予備化粧料を備える少なくとも１個の予備化粧用具を含む。前記メイクアップモジュールは、対応してピックアンドプレイス装置を設けることができ、予備化粧用具でメイクアップした時、メイクアップモジュールが貯蔵装置のところに移動してピックアンドプレイス装置を利用して貯蔵装置の中のいずれかの予備化粧用具をピックアンドプレイスしてメイクアップを行うことできる。こうすることで、更に多種類の化粧用具、化粧料を選択するチャンスを増やすことができる。
少なくとも１個の予備化粧用具は、前記アイライナー、メイクブラシ、加圧式スプレーノズル等の組み合せの少なくとも１つとすることができる。少なくとも１個の予備化粧料も前記各タイプ化粧料のいずれか１種類或いはその組み合せとすることができる。
【００１０】
上記コントローラは、眼部輪郭画像を所要化粧後の輪郭パターンとして編集できる、若しくは化粧後の輪郭パターンについて更に編集する。
【００１１】
上記コントローラは入力インターフェースを備えることができる。前記眼部輪郭画像或いは化粧後輪郭パターンは、いずれも外部保存装置又は内蔵保存装置に各々、若しくは同時に提供できる。
内蔵保存装置は、内部からコントローラに電気的に接続する。内蔵保存装置は、内蔵型ハードディスクドライブ、フラッシュメモリ、内蔵ＳＤカード、内蔵ＭＭＳカード等の内部保存装置とすることができる。
外部保存装置は、外部からコントローラの入力インターフェースに電気的に接続する。外部保存装置は、外付けハードディスクドライブ、ＵＳＢフラッシュドライブ、光ディスクドライブ、ＳＤカードリーダー、ＭＭＳカードリーダー等或いはコンピュータ、ＰＤＡ、スマートフォン、タブレット型コンピュータ、ネットワークディスクドライブ等のメモリ又は記憶装置を内蔵する外部電子機器とすることができる。内蔵保存装置若しくは外部保存装置内にも上記眼部輪郭画像或いは化粧後輪郭パターンを保存することができる。
【００１２】
外部保存装置内に保存している上記眼部輪郭画像は、自ら撮影した後予め外部保存装置内に保存して予備とするもの、或いはネットワークディスクドライブ等に保存してからネットワークから外部保存装置にダウンロードして提供するものである。同じように外部保存装置内に保存している化粧後輪郭パターンは、自ら撮影した以前の満足な結果又は自ら眼部輪郭画像を編集して満足な結果になったものを外部保存装置又はネットワークディスクドライブ内に保存して予備とする。他人のメイクアップテンプレートを利用者自分の眼部輪郭画像に適用することで、利用者の化粧後輪郭パターンとして編集する。こうすることで多様化されたメイクアップデータベースを確立して利用者の選択に提供できる。
【００１３】
本発明は、コントローラに電気的に接続し、眼部の自動化粧前後の眼部画像或いはその操作情報を表示するためのディスプレイを更に含む。
マンマシンインターフェースは、好ましくはディスプレイで、アイマスクの前方に取り付けるタッチパネルとすることができる。利用者は、タッチパネルを通じてコントローラを制御して眼部輪郭画像を所要化粧後輪郭パターンとして編集でき、または化粧後輪郭パターンについて編集できる。利用者もタッチパネルを通じてプログラム又はコマンドをコントローラに入力し、コントローラが移動モジュールとメイクアップモジュールの駆動を制御して顔に自動化粧を行わせることができる。ディスプレイもアイマスクの前方に取り付けられる一般的によく見られる非タッチ式ディスプレイとすることができる。
プログラム又はコマンドをコントローラに入力するため、コントローラに電気に接続する複数の操作インターフェースをアイマスクに設ける。複数の操作インターフェースは、従来式機械スイッチ、押しボタン、回転つまみ或いはその同じ効果のある操作インターフェースのいずれか、若しくはその組み合せとすることができる。ディスプレイはアイマスク外部に設けさせることができる以外に、アイマスク内部に設けることもでき、且つタッチ式又は一般的によく見られる非タッチ式ディスプレイとすることができる。
利用者がアイマスクを外さなくても、センサーにより頭部の移動或いは回転を検知して、モーション情報を入力プログラム又はコマンドとしてコントローラに変換することで制御を行うため、コントローラの入力インターフェースはアイマスク上に設けられたセンサーとすることができ、例えば、重力センサー（Ｇ  ｓｅｎｓｏｒ）、加速度計等である。
【００１４】
本発明は、メイクアップモジュールとメイクアップ位置の間の距離情報を提供することで、コントローラが移動モジュールを駆動、制御するための距離測定装置を更に含む。
距離測定装置は移動モジュールの移動ブロック或いはアイマスク内の他の適当な位置に設けることができる。距離測定装置は、レーザ距離測定器、マイクロ波測距レーダ、赤外線距離計、超音波距離計又はその他同じ効果のある距離測定装置を採用できる。距離情報を得るため、距離測定装置を通じて測距光或いは測距波を利用者の目に発すると共に利用者の目から反射された反射光、若しくは反射波を受信し、移動モジュールがメイクアップ位置に到達するかどうかの判定に利用する。
眼部輪郭画像及び化粧後輪郭パターンが二次元平面画像の場合、距離測定装置は第３軸方向位置の信号を提供して空間中の別次元へ送り込むデータを補足することで二次元平面画像を三次元立体画像に変換して操作する。
【００１５】
その他、本発明は安全感知モジュールを更に含むことができる。
例えば少なくとも１個の化粧道具が不正確な眼部メイクアップ位置に移動した時、少なくとも１個の化粧道具と目の距離が安全距離より短い時、若しくはアイシャドウをメイクアップする時まぶたが開いている状況のような異常が感知された場合、安全感知モジュールは、対応して異常信号をコントローラに出力し、操作を一時中止し、或いは電源を緊急遮断する。
安全感知モジュールは圧力センサー、光遮斷器、リミットスイッチ（ｌｉｍｉｔ  ｓｗｉｔｃｈ）、距離測定装置、ＣＣＤ、ＣＭＯＳ、撮像装置或いはその他同じ効果のある安全センサーとすることができる。これを介して利用者が出力した化粧料で目又は目のメイクアップ位置以外の部分に誤って噴射されることを避けることができる。
【００１６】
本発明コントローラの入力インターフェースは、更にコントローラを操作して移動モジュールとメイクアップモジュールを駆動、若しくは少なくとも１個の画像認識装置が撮影した眼部輪郭画像を所要化粧後輪郭パターンとして編集できる外部電子機器に電気的に接続できる。
外部電子機器は、デスクトップコンピュータ（ＰＣ）、ノートブックコンピュータ（ＮＢ）、ネットブック（Ｎｅｔｂｏｏｋ）、個人用携帯情報端末（ｐｅｒｓｏｎａｌ  ｄｉｇｉｔａｌ  ａｓｓｉｓｔａｎｔ、ＰＤＡ）、スマートフォン、タブレット型コンピュータ或いはその他同じ効果のあるコンシューマエレクトロニクス機器等とすることができる。これにより、利用者は外部電子機器を通じてシミュレーションしたメイクアップ後の出来上がりを編集又はプレビューして自分に似合うか、若しくは自分の要望に適合するかを確認してからコントローラにより自動化粧を制御する。
【００１７】
本発明の移動モジュールは、縦方向レールと横方向レールと伸縮レールを含むことができる。移動ブロックは、伸縮レールに設けられると共に往復運動できる。伸縮レールが該横方向レールに設けられると共に往復運動できる。横方向レールは縦方向レールに摺設すると共に往復運動できる。本発明の移動モジュールも多関節ロボット、円筒型ロボット、関節型機械アーム、Ｅ型ロボット、Ｃ型ロボット或いはその他三次元移動可能な自動制御装置とすることができる。
【００１８】
本発明のアイマスクは、例えばメガネ形耳掛け、結束バンド、伸縮バンド或いは面ファスナー等のような留め具を備えることができる。眼部に対して自動化粧を行うため、これを介してアイマスクを人体の頭部に留めて目の位置に対応させる。その他、アイマスクと顔の接触箇所にソフトＰＶＣ層、スポンジ等の密着に役立つ材質が設けられ、顔が直接装置に接触しても不快さや、スリキズを防止することができる。
【図面の簡単な説明】
【００１９】
【図１】本発明に係る第１の好ましい実施例立体図である。
【図２】本発明に係る第１の好ましい実施例分解図である。
【図３】本発明に係る第１の好ましい実施例のメイクアップモジュール分解図である。
【図４】本発明に係る第１の好ましい実施例のスポンジチップ側面図である。
【図５】本発明に係る第１の好ましい実施例の毛筆型アイライナー側面図である。
【図６】本発明に係る第１の好ましい実施例の鉛筆型アイライナー側面図である。
【図７】本発明に係る第１の好ましい実施例の刷毛式メイクブラシ側面図である。
【図８】本発明に係る第１の好ましい実施例の加圧式スプレーノズル側面図である。
【図９】本発明に係る第１の好ましい実施例の圧電噴射装置上面図である。
【図１０】本発明に係る第１の好ましい実施例の眼部輪郭画像Ｆを示す図である。
【図１１】本発明に係る第１の好ましい実施例の化粧後輪郭パターンＣ及びメイクアップ位置Ｔを示す図である。
【図１２】本発明に係る第２の好ましい実施例立体図である。
【図１３】本発明に係る第３の好ましい実施例分解図である。
【発明を実施するための形態】
【００２０】
（第１の実施例）
図１の本発明に係る第１の好ましい実施例立体図に図２及び図３の分解図を組み合わせて参照しながら説明する。本実施例には、アイマスク１とディスプレイ１１と移動モジュール２と貯蔵装置３とメイクアップモジュール４とコントローラ５と画像認識装置１４と内蔵保存装置１５と距離測定装置４４２と留め具６とを、含む。
図２に示すように、移動モジュール２はアイマスク１内に設けられ、縦方向レール２２と横方向レール２３と伸縮レール２４と移動ブロック２１とを、含む。
移動ブロック２１は伸縮レール２４に設けられ、Ｘ軸に沿って往復運動でき、伸縮レール２４が横方向レール２３に摺設され、Ｙ軸に沿って往復運動でき、横方向レール２３が縦方向レール２２に摺設され、Ｚ軸に沿って往復運動できるため、移動ブロック２１が三次元空間に移動できる。本実施例において縦方向レール２２及び横方向レール２３はダブルバー構造である。横方向レール２３を例にすると、横方向レール２３は、リードスクリュー２３１とガイドロッド２３２とを備え、リードスクリュー２３１がスクリュー構造である。
横方向レール２３と縦方向レール２２の連結箇所に駆動装置２５、例えばモータ等を設けることができ、駆動装置２５がガイドロッド２３２の回転を駆動して伸縮レール２４に設けられる移動ブロック２１はＹ軸に沿って往復運動させることができる。同じように縦方向レール２２にも同じ構造が設けられる。
【００２１】
マンマシンインターフェースであるディスプレイ１１は画像を表示すると共にコントローラ５に電気的に接続する。本実施例においてディスプレイ１１は、アイマスク１の前方に取り付けられるタッチパネル１１１である。
【００２２】
貯蔵装置３はアイマスク１内に設けられ、貯蔵装置３の複数の収容溝３０内に少なくとも１個の予備化粧用具を収容でき、例えば毛筆型アイライナー８１、鉛筆型アイライナー８２、スポンジチップ８３、刷毛式メイクブラシ８４、及び加圧式スプレーノズル８５であり、各タイプ予備化粧用具の具体的実施例側面を図４乃至図８を参照しながら説明する。
図４のスポンジチップ８３の筆ボトル内にメイクアップインクボトル８３１を備えることができ、筆先８３２とメイクアップインクボトル８３１の間に孔隙のある材料を通じて連結し、これは従来の蛍光ペン技術であるため、任意の押圧ヘッドを押す必要がなく、スポンジチップ８３の筆先８３２を軽く摺動するだけで、メイクアップインクを自然に流し出す。
図５の毛筆型アイライナー８１は、筆ボトル内に液体メイクアップインク８１１を入れ、従来のリキッドアイライナー技術のように、液体メイクアップインク８１１が毛細管現象により孔隙のある材料を通じて毛筆型筆先８１２までに流れることができるため、毛筆型筆先８１２を軽く摺動するだけで、メイクアップインクが自然に流れ出す。
【００２３】
図６の鉛筆型アイライナー８２は、従来のペンシル型アイライナーで、直接アイラインを描くことができる。図７の刷毛式メイクブラシ８４はプッシュプルロッド８４１を有し、筆ボトル内に化粧料８４２を入れており、粉末或いは粒子とすることができ、プッシュプルロッド８４１の引張を介して化粧料８４２を刷毛８４３に付着できる。
図８の加圧式スプレーノズル８５は推進装置により推進する押し棒８５１を利用して内部の液状、ジェル状又は霧状化粧料８５２に対して加圧してから噴出する。
【００２４】
次に、図２を参照しながら説明する。
メイクアップモジュール４は、移動モジュール２の移動ブロック２１に設けられ、回転盤４１とピックアンドプレイス装置４２と圧電噴射装置４３とを、含む。
図３に示すように移動ブロック２１に距離測定装置４４２及び３つ円柱体４１２、４２２、４３２が設けられており、各円柱体内に各円柱体が個別に独立した回転運動を行わせる回転運動可能な手段、例えばモータ等が設けられる。距離測定装置４４２、回転盤４１、ピックアンドプレイス装置４２及び圧電噴射装置４３を制御するため、距離測定装置４４２の後方にコントローラ５までに接続するフラットケーブル４５を備える。回転盤４１、ピックアンドプレイス装置４２、及び圧電噴射装置４３は各々円柱体４１２、４２２、４３２に構設され、円柱体と装置の間が電気的に接続することで装置の所要電力及び制御信号を提供し、また各装置の動作を独立して制御できる。
その接続方式は圧電噴射装置４３を例にすると、円柱体４３２にスロット４３３が設けられ、圧電噴射装置４３にコネクタ４３４が設けられ、圧電噴射装置４３を円柱体４３２に構設した時、コネクタ４３４をスロット４３３の中に接続させて電気的な接続を形成できる。回転盤４１及びピックアンドプレイス装置４２においても類似した設置とする。その他、この種の接続方式は、利用者に交換の必要のある回転盤４１、ピックアンドプレイス装置４２、或いは圧電噴射装置４３について個別に取り外して交換させることができる。
【００２５】
回転盤４１の周縁に複数の収容孔４１１が開設され、例えば毛筆型アイライナー３１、鉛筆型アイライナー３２、スポンジチップ３３、刷毛式メイクブラシ３４、加圧式スプレーノズル３５のような複数の化粧道具を収容する。
その具体的実施例は前記の毛筆型アイライナー８１と鉛筆型アイライナー８２とスポンジチップ８３と刷毛式メイクブラシ８４と加圧式スプレーノズル８５とする。そこで自動化粧塗布の利便のため、回転盤４１を回転すると異なる化粧道具に変わることで、異なる化粧料或いは化粧色を使用できる。
圧電噴射装置４３は、従来のプリンターのように圧電制御技術の駆動下、噴霧或いは液体粒子の化粧料を出力し、制御回路を通じて化粧料の大きさ及び色を効果的に調節し、図９に示すように圧電噴射装置４３内に赤色（Ｒ）、緑色（Ｇ）及び青色（Ｂ）三原色の化粧原料４３１を含むと各種カラーを調合でき、カラーグラデーションを作り出して化粧料のカラーバリエーションを増やすことができる。
【００２６】
上記メイクアップモジュール４のピックアンドプレイス装置４２は、ピックアップ手段、磁性構造等或いはその他同じ効果のあるピックアンドプレイス構造とすることができる。貯蔵装置３の複数の収容溝３０内に置いている予備化粧用具を使用しようとする時、移動モジュール２はその上に配置されたメイクアップモジュール４を貯蔵装置３に移動させ、ピックアンドプレイス装置４２で収容溝３０内から事前にその中に置かれている予備化粧用具を取り出すことで、更に多種類の化粧用具、化粧料の選択を増やすことができる。
【００２７】
次に、図２と、図１０の眼部輪郭画像Ｆを示す図及び図１１の化粧後輪郭パターンＣを示した図の組み合わせを参照しながら説明する。
画像認識装置１４は、アイマスク１内に構設され、またコントローラ５に電気的に接続し、画像を撮影できると共に眼部輪郭画像Ｆとして認識できる。本実施例において画像認識装置１４が撮影した眼部輪郭画像Ｆは、二次元平面の眼部輪郭画像で、距離測定装置４４２が測定して得た第３次元の情報を結合することで、三次元立体眼部輪郭画像を得ることができる。
【００２８】
コントローラ５は、アイマスク１に設けられ、コントローラ５が移動モジュール２とメイクアップモジュール４に電気的に接続し、また移動モジュール２とメイクアップモジュール４を駆動して顔に自動化粧を施すよう制御できる。コントローラ５は、眼部輪郭画像Ｆ及び化粧後輪郭パターンＣを受信するための入力インターフェース５２を備える。
化粧後輪郭パターンＣとは、眼部輪郭画像Ｆに対応する予想したメイクの出来上がりである。入力インターフェース５２は入力ポートで、外部保存装置７の挿入を通じてその中に保存している眼部輪郭画像Ｆ或いは化粧後輪郭パターンＣを受信できる。外部保存装置７は、外付けハードディスクドライブ、ＵＳＢフラッシュドライブ、光ディスクドライブ、ＳＤカードリーダー、ＭＭＳカードリーダー等、若しくは例えばコンピュータ、ＰＤＡ、スマートフォン、タブレット型コンピュータ、ネットワークディスクドライブ等のメモリ又は記憶装置を内蔵する外部電子機器とすることができる。
【００２９】
本実施例の眼部輪郭画像Ｆは、外部保存装置７に入力している予め撮影された利用者の写真を使用でき、内蔵保存装置１５からも提供することもできる。内蔵保存装置１５は、内部からコントローラ５に電気的に接続する入力インターフェース５２である。内蔵保存装置１５は、内蔵型ハードディスクドライブ、フラッシュメモリ、内蔵ＳＤカード、内蔵ＭＭＳカード等の内部保存装置とすることができ、且つ随時予備にアクセスするため、予め入力した眼部輪郭画像Ｆを保存している。
化粧後輪郭パターンＣは、外部保存装置７から入力する予め撮影した満足な結果或いは自ら眼部輪郭画像Ｆを編集して満足な結果になったものを使用できる以外に、画像認識装置１４が撮影した眼部輪郭画像Ｆを利用し、前記タッチパネル１１１であるマンマシンインターフェースを通じてコントローラ５を制御して化粧後輪郭パターンＣとして編集、若しくはタッチパネル１１１であるマンマシンインターフェースを通じてコントローラ５を制御して入力した化粧後輪郭パターンＣを更に編集できる。
【００３０】
コントローラ５は、例えばプログラム或いはコマンドを入力するようなマンマシンインターフェースからの操作を受信し、その後移動モジュール２を駆動してメイクアップモジュール４を眼部輪郭画像Ｆが対応するメイクアップ位置Ｔに移動でき、メイクアップモジュール４の化粧道具を駆動させて化粧後輪郭パターンＣに基づいてメイクアップを行うことができる。
本実施例において利用者の上まぶたを例にすると、メイクアップモジュール４がメイクアップ位置Ｔに移動した後、化粧後輪郭パターンＣに基づいて化粧料４３１を圧電噴射装置４３から外へ出力する。
【００３１】
メイクアップ過程において、移動モジュール２の移動がメイクアップ位置に到達するかどうかを校正するため、距離測定装置４４２は位置情報を提供する。
本実施例において距離測定装置４４２は赤外線距離計で、測距光を利用者の上まぶたに発し、また利用者の上まぶたから反射してきた反射光を受信し、移動モジュール２の移動が利用者の上まぶたに到達するよう校正できる。距離測定装置４４２はレーザ、超音波或いは従来の画像式距離測定器とすることができる。更に、入力した眼部輪郭画像Ｆ及び化粧後輪郭パターンＣは二次元平面画像の場合、本実施例中の距離測定装置４４２は水平のＸ軸方向位置を測定でき、つまり空間中の別次元への送り込みデータ、例えばメイクアップモジュール４とメイクアップ位置Ｔの間の距離情報を提供でき、二次元平面画像を三次元立体画像に変換して操作させ、コントローラ５で移動モジュール２の駆動や制御を補助する。入力されたものが三次元空間画像の場合、距離測定装置４４２もＸ軸の位置合わせ信号を提供できる。
特に上まぶたを化粧する場合、距離測定装置４４２が提供する眼部輪郭画像Ｆ及び化粧後輪郭パターンＣは、目を閉じた状態の画像と目を開いた状態の画像を有する。
【００３２】
本実施例は、更に安全感知モジュールを設け、距離測定装置４４２或いは画像認識装置１４の情報と結合する。
例えば、化粧道具或いは目の所在位置が間違っている、化粧道具と目の間隔が近すぎる、アイシャドウを描く際、まぶたが開いた等、感知した距離又は状況に異常があった時、異常信号をコントローラ５に出力してメイクアップモジュール４の作動を停止させる。
安全感知モジュールもまぶたが開いたかどうかを感知でき、アイシャドウを描いている時、化粧対象者の目が開いた状態を感知した場合、安全感知モジュールは異常信号をコントローラ５に伝送してメイクアップモジュール４の作動を停止させる。安全感知モジュールもアイマスク１が鼻梁の正確位置範囲内にいるかを感知できる圧力センサーとすることもできる。アイマスク１が正確に鼻梁を覆っていない時、安全感知モジュールは圧力変化を通じて異常を感知でき、対応して異常信号をコントローラ５に出力することでメイクアップモジュール４の作動を停止させる。更に、安全感知モジュールにも押しボタンを設置して、操作過程中に利用者が押しボタンを押して異常信号を伝送して操作を中止させることができる。
【００３３】
図１に示すように、アイマスク１の留め具６は、アイマスク１を人体頭部の対応する位置に固定する。本実施例において留め具６は調整可能なソフトＰＶＣバンドとし、眼鏡形耳掛け、結束バンド、伸縮バンド或いは面ファスナー等の、アイマスク１を特定位置に固定する効果のある部材とすることもできる。
【００３４】
利用者は、本実施例のアイメイクアップ装置でアイシャドウを描こうとする時、まず上記アイメイクアップ装置を準備し、電源を入れ、その後利用者が外部保存装置７内から眼部輪郭画像Ｆ或いは化粧後輪郭パターンＣを入力インターフェース５２によってコントローラ５に伝送して取り込み、直接画像認識装置１４又は内蔵保存装置１５から取り込み、その後眼部輪郭画像Ｆを所要化粧後輪郭パターンＣとして編集することができる。
ディスプレイ１１のタッチパネル１１１であるマンマシンインターフェースで編集操作を行うことができ、予め設定したアイシャドウ及びアイシャドウ化粧料、色、配合を選択して化粧後輪郭パターンＣを修整でき、例えば色彩、ライトアップ、飽和、コントラスト等のパラメータを追加して自動に調整することで利用者のメイク需要を満たす。
更にディスプレイ１１を通じて設定後シミュレーションした化粧後輪郭パターンＣを表示し、利用者はアイシャドウの色或いは質感が自分に似合うか、若しくは自分の要望に適するかをプレレビューできる。
【００３５】
その後、利用者はメイクアップ位置Ｔを選定してからアイマスク１を留め具６で人体頭部に固定して目の位置に対応させ、利用者が更にスタートボタンを押してスタート信号をコントローラ５に発送し、コントローラ５はまずこの時の安全感知モジュールが安全な操作状態であるかを判断し、安全感知モジュールから異常信号が伝送された場合、不安全な操作状態となり、作動を開始しない若しくは操作状態を停止させる。
安全操作状態の場合、コントローラ５は化粧後輪郭Ｃのメイクアップ位置Ｔを移動モジュール２及びメイクアップモジュール４の制御信号に変換する。この信号は移動モジュール２の塗布ルートとメイクアップモジュール４の自動化粧操作を制御する信号である。
次に、距離測定装置４４２で測定した軸方向距離信号をコントローラに入力して軸方向位置信号に変換する。この時の軸方向とは、図２に示すＸ軸を指し、その後コントローラ５は移動モジュール２とメイクアップモジュール４を制御してメイクアップ操作を行い、メイクアップ操作過程において引き続き全てのメイクアップ操作を終えるかを判断し、全てのメイクアップ操作を終えていない場合、安全操作状態にあるかを判断し、全てのメイクアップ操作を終えていた場合アイマスク１を外すことができる。
【００３６】
この方法により、利用者はアイメイクアップ装置を利用して眼部輪郭画像Ｆ及び化粧後輪郭パターンＣに基づいて自動的に化粧でき、時間や手間を省くことができ、また個人のメイクアップテクニックに依存する必要もなく、操作上非常に便利である。
【００３７】
（第２の実施例）
本発明に係る第２の好ましい実施例立体図について図１２を参照しながら説明する。本実施例と第１の好ましい実施例の相違点は、アイマスク１の留め具６２が伸縮バンドであり、アイマスク１の顔と接触する箇所にスポンジ１６が設けられ、アイマスク１外のディスプレイ１１が一般的によく見られる非タッチ式ディスプレイで、アイマスク１の側面に複数の操作インターフェース５６、例えば図に示す五方向押しボタンが設けられ、これを介してプログラム或いはコマンドをコントローラ５に入力でき、マンマシンインターフェースに合わせディスプレイ１１に表示された眼部輪郭画像Ｆを化粧後輪郭パターンＣとして編集できることである。
【００３８】
更に、アイマスク１は、入力インターフェース５２箇所に外部電子機器９を接続してプログラム或いはコマンドをコントローラ５に入力、眼部輪郭画像Ｆを化粧後輪郭パターンＣとして編集、若しくは眼部輪郭画像Ｆ及び化粧後輪郭パターンＣをコントローラ５に入力できる。
本実施例において外部電子機器９は、デスクトップコンピュータ、ノートブックコンピュータ（ＮＢ）、ネットブック（Ｎｅｔｂｏｏｋ）、個人用携帯情報端末（ｐｅｒｓｏｎａｌ  ｄｉｇｉｔａｌ  ａｓｓｉｓｔａｎｔ、ＰＤＡ）、スマートフォン、タブレット型コンピュータ或いはその他同じ効果のあるコンシューマエレクトロニクス機器等とすることができる。
【００３９】
（第３の実施例）
本発明に係る第３の好ましい実施例分解図について図１３を参照しながら説明する。
本実施例と第１の好ましい実施例の相違点は、アイマスク１内部に内部ディスプレイ１２が設けられ、タッチ式或いは一般的によく見られる非タッチ式ディスプレイとすることができ、またコントローラ５に電気的に接続し、且つアイマスク１内に更に設けられたセンサー１８もコントローラ５に電気的に接続し、センサー１８は重力センサー（Ｇ−ｓｅｎｓｏｒ）、加速度計等であり、アイマスク１内の内部ディスプレイ１２にセンサー１８を搭載したことにより、利用者はアイマスクを外さない状態で、センサー１８を利用して頭部の移動或いは回転を感知し、更にモーション情報を変換してプログラム或いはコマンドをコントローラ５に入力することで制御を行うことである。
【００４０】
その他、左の目及び右の目の眼部輪郭画像をそれぞれ得るため、本実施例中の２つの画像認識装置１４がアイマスク１内の左右側と左右の目の対応箇所に設けられ、利用者は左の目或いは右の目のみに対してメイクアップすることができる。
本実施例中の画像認識装置１４は、直接三次元立体眼部輪郭画像を測定できるため、第１の好ましい実施例中の距離測定装置４４２に代替し、並びに同時にメイクアップ時移動モジュール２の移動校正を提供できる。また、本実施例の安全感知モジュール４４３は、２つの画像認識装置１４の情報を結合し、２つの画像認識装置１４が例えば化粧道具或いは目の所在位置が間違っている、化粧道具と目の間隔が近すぎる、アイシャドウを描いている時にまぶたが開いた等、距離又は状況に異常があると感知した時、異常信号をコントローラ５に出力してメイクアップモジュール４の作動を停止させる。
その他、本実施例のメイクアップモジュール４は脱着可能装置で、その中に収容している複数の化粧道具又は化粧料の交換の便宜のため、利用者が回転盤４１或いは圧電噴射装置４３を直接外すことができる。
【００４１】
以上、説明したように、本発明は従来の手動メイクアップの手間を解消でき、利用者の化粧を自動処理でき、各種化粧品及び化粧道具の購買費用を削減でき、また多様且つ具体的に利用者がシミュレーション或いは希望する化粧を実現でき、さらにコンパクトで運び持ちに便利であり、真に特許性を有するものである。
【００４２】
上記の実施例は、あくまでも本発明の技術内容を明らかにするものであって、具体例にのみ限定して狭義的に解釈されるべきものではなく、本発明が主張する権利範囲は特許請求の範囲内に記載されているものを基準とする。
【符号の説明】
【００４３】
１            アイマスク
１１            ディスプレイ
１１１            タッチパネル
１２            内部ディスプレイ
１４            画像認識装置
１５            内蔵保存装置
１６            スポンジ
１８            センサー
２            移動モジュール
２１            移動ブロック
２２            縦方向レール
２３            横方向レール
２３１            リードスクリュー
２３２            ガイドロッド
２４            伸縮レール
２５            駆動装置
３            貯蔵装置
３０            収容溝
３１            毛筆型アイライナー
３２            鉛筆型アイライナー
３３            スポンジチップ
３４            刷毛式メイクブラシ
３５            加圧式スプレーノズル
４            メイクアップモジュール
４１            回転盤
４１１            収容孔
４１２            円柱体
４２            ピックアンドプレイス装置
４２２            円柱体
４３            圧電噴射装置
４３１            化粧原料
４３２            円柱体
４３３            スロット
４３４            コネクタ
４４２            距離測定装置
４４３            安全感知モジュール
４５            フラットケーブル
５            コントローラ
５２            入力インターフェース
５６            操作インターフェース
６            留め具
６２            留め具
７            外部保存装置
８１            毛筆型アイライナー
８１１            液体メイクアップインク
８１２            毛筆型筆尖
８２            鉛筆型アイライナー
８３            スポンジチップ
８３１            メイクアップインクボトル
８３２            筆先
８４            刷毛式メイクブラシ
８４１            プッシュプルロッド
８４２            化粧料
８４３            刷毛
８５            加圧式スプレーノズル
８５１            押し棒
８５２            化粧料
９            外部電子機器
Ｆ            眼部輪郭画像
Ｃ            化粧後輪郭パターン
Ｔ            メイクアップ位置
【図１】
0005404866.tif 000002
【図２】
0005404866.tif 000003
【図３】
0005404866.tif 000004
【図４】
0005404866.tif 000005
【図５】
0005404866.tif 000006
【図６】
0005404866.tif 000007
【図７】
0005404866.tif 000008
【図８】
0005404866.tif 000009
【図９】
0005404866.tif 000010
【図１０】
0005404866.tif 000011
【図１１】
0005404866.tif 000012
【図１２】
0005404866.tif 000013
【図１３】
0005404866.tif 000014